(57)【要約】【課題】  アナログメータでなる状態表示器の指針が指し示す計測値を精度良く読み取り得る安価な計測値読取りシステム、計測値読取り装置及び計測値読取方法を提案する。【解決手段】  アナログメータでなる状態表示器の周囲に少なくとも２つのマーカを配置し、マーカ及び状態表示器を撮影することにより得られた撮影信号に基づく撮影画像内の各マーカに基づいて、当該撮影画像内の状態表示器の画像を、３次元的な傾きを補正して当該状態表示器を真正面から撮影した画像に変換し、３次元的な傾きを補正した撮影画像内の状態表示器の画像に基づいて、当該状態表示器の指針が指し示す数値を読み取るようにした。【選択図】        図８
2019087156.tif 000002
【特許請求の範囲】
【請求項１】
アナログメータでなる状態表示器の指針が示す計測値の値を読み取る計測値読取りシステムにおいて、
前記状態表示器の周囲に配置された少なくとも２つのマーカと、
可搬型の計測値読取り装置と
を有し、
前記計測値読取り装置は、
前記マーカ及び前記状態表示器を撮影するためのカメラ部と、
前記カメラ部から出力される撮影信号に基づく撮影画像内の各前記マーカに基づいて、当該撮影画像内の前記状態表示器の画像を、３次元的な傾きを補正して当該状態表示器を真正面から撮影した画像に変換する画像変換部と、
前記画像変換部により前記３次元的な傾きが補正された前記撮影画像内の前記状態表示器の画像に基づいて、当該状態表示器の指針が指し示す数値を読み取る計測値読取り部と
を備えることを特徴とする計測値読取りシステム。
【請求項２】
前記マーカは、それぞれ少なくとも３つの基準マークが設けられ、
前記画像変換部は、
各前記マーカの各前記基準マークに基づいて、前記撮影画像内の前記状態表示器の画像の前記３次元的な傾きを補正する
ことを特徴とする請求項１に記載の計測値読取りシステム。
【請求項３】
各前記マーカは、ＱＲコードである
ことを特徴とする請求項２に記載の計測値読取りシステム。
【請求項４】
前記計測値読取り装置は、
前記カメラ部から出力される前記撮影信号に基づく前記撮影画像と、前記画像変換部により前記３次元的な傾きが補正された前記状態表示器の画像とを２画面に合成した合成画像を生成する画像合成部と、
前記合成画像を表示する表示装置と
を備えることを特徴とする請求項１に記載の計測値読取りシステム。
【請求項５】
前記状態表示器の撮影位置を表す第１の枠体と、各前記マーカにそれぞれ対応して設けられ、各前記マーカの撮影位置をそれぞれ表す複数の第２の枠体とを有する第１のキャラクタを前記撮影画像に重畳する枠体重畳部を備え、
前記画像合成部は、
前記第１のキャラクタを重畳した前記撮影画像と、前記画像変換部により前記３次元的な傾きが補正された前記状態表示器の画像とを２画面に合成した前記合成画像を生成する
ことを特徴とする請求項４に記載の計測値読取りシステム。
【請求項６】
前記画像変換部により前記３次元的な傾きが補正された前記状態表示器の画像における当該状態表示器の近傍に、当該状態表示器の計測対象が正常な場合における当該状態表示器の指針の変動範囲を表す第２のキャラクタを重畳する正常範囲重畳部を備え、
前記画像合成部は、
前記カメラ部から出力される前記撮影信号に基づく前記撮影画像と、前記画像変換部により前記３次元的な傾きが補正され、前記第２のキャラクタが重畳された前記状態表示器の画像とを２画面に合成した前記合成画像を生成する
ことを特徴とする請求項４に記載の計測値読取りシステム。
【請求項７】
前記正常範囲重畳部は、
前記画像変換部により前記３次元的な傾きが補正された前記状態表示器の画像における当該状態表示器上に、当該状態表示器の計測対象が異常な場合における当該状態表示器の指針の変動範囲を表す半透明の第３のキャラクタを重畳し、
前記画像合成部は、
前記カメラ部から出力される前記撮影信号に基づく前記撮影画像と、前記画像変換部により前記３次元的な傾きが補正され、前記第２及び第３のキャラクタが重畳された前記状態表示器の画像とを２画面に合成した前記合成画像を生成する
ことを特徴とする請求項６に記載の計測値読取りシステム。
【請求項８】
アナログメータでなる状態表示器の指針が示す計測値の値を読み取る計測値読取り装置において、
前記状態表示器の周囲に少なくとも２つのマーカが配置され、
前記マーカ及び前記状態表示器を撮影するためのカメラ部と、
前記カメラ部から出力される撮影信号に基づく撮影画像内の各前記マーカに基づいて、当該撮影画像内の前記状態表示器の画像を、３次元的な傾きを補正して当該状態表示器を真正面から撮影した画像に変換する画像変換部と、
前記画像変換部により前記３次元的な傾きの補正が施された前記撮影画像内の前記状態表示器の画像に基づいて、当該状態表示器の指針が指し示す数値を読み取る計測値読取り部と
を備えることを特徴とする計測値読取り装置。
【請求項９】
アナログメータでなる状態表示器の指針が示す計測値の値を読み取る計測値読取り装置において実行される計測値読取り方法であって、
前記状態表示器の周囲に少なくとも２つのマーカが配置され、
前記マーカ及び前記状態表示器を撮影することにより得られた撮影信号に基づく撮影画像内の各前記マーカに基づいて、当該撮影画像内の前記状態表示器の画像を、３次元的な傾きを補正して当該状態表示器を真正面から撮影した画像に変換する第１のステップと、
前記３次元的な傾きを補正した前記撮影画像内の前記状態表示器の画像に基づいて、当該状態表示器の指針が指し示す数値を読み取る第２のステップと
を備えることを特徴とする計測値読取り方法。
【発明の詳細な説明】
【技術分野】
【０００１】
本発明は計測値読取りシステム、計測値読取り装置及び計測値読取方法に関し、指針により電流、電圧又は電力量等のプラント設備の計量値や状態を表示する状態表示器、特に、指針回転式のアナログメータでなる状態表示器の計測値を読み取る計測値読取り装置に適用して好適なものである。
【背景技術】
【０００２】
従来、工場や火力発電所などの大規模施設では、プラント設備の状態を表示する状態表示器をビデオカメラ等の撮影装置により撮影し、撮影された状態表示器の状態に基づいてそのプラント設備の状態を監視する方法が広く行われている。
【０００３】
このような監視方法に関連して、例えば、特許文献１には、状態表示器の周辺にマーカを配置し、このマーカに基づいて撮影画像内の状態表示器の表示領域を抽出する方法が開示されている。
【０００４】
また非特許文献２には、設備ごとに専用の固定カメラを設置し、撮影環境を設定及び固定することにより同じアングルの撮影を行い、アナログ指示計の値をディジタル値に変換する方法が開示されている。
【先行技術文献】
【特許文献】
【０００５】
【特許文献１】特開２００２−０５６３８７号公報
【非特許文献】
【０００６】
【非特許文献１】“FUJITSU Software Imagepower Analog Meter Recognizer V2(V02L02)”、［online］、富士通株式会社、［平成29年10月30日検索］、インターネット〈https://www.fujitsu.com/jp/Images/AnalogMeterRecognizerV2.pdf〉
【発明の概要】
【発明が解決しようとする課題】
【０００７】
ところで、特許文献１では、撮影装置に対して状態表示器が３次元的に傾いた状態にある場合については何らの考慮もされていない。しかしながら、撮影装置に対して状態表示器が３次元的に傾いた状態にあると、撮影画像内の状態表示器の指針が指し示す計測値を正確に読み取ることができないという問題がある。
【０００８】
また非特許文献１に開示された発明によると、状態表示器ごとに固定カメラを設置する必要があり、その分、多くの設置必要を要する問題がある。
【０００９】
本発明は以上の点を考慮してなされたもので、アナログメータでなる状態表示器の指針が指し示す計測値を精度良く読み取り得る安価な計測値読取りシステム、計測値読取り装置及び計測値読取方法を提案しようとするものである。
【課題を解決するための手段】
【００１０】
かかる課題を解決するため本発明においては、アナログメータでなる状態表示器の指針が示す計測値の値を読み取る計測値読取りシステムにおいて、前記状態表示器の周囲に配置された少なくとも２つのマーカと、可搬型の計測値読取り装置とを有し、前記計測値読取り装置は、前記マーカ及び前記状態表示器を撮影するためのカメラ部と、前記カメラ部から出力される撮影信号に基づく撮影画像内の各前記マーカに基づいて、当該撮影画像内の前記状態表示器の画像を、３次元的な傾きを補正して当該状態表示器を真正面から撮影した画像に変換する画像変換部と、前記画像変換部により前記３次元的な傾きが補正された前記撮影画像内の前記状態表示器の画像に基づいて、当該状態表示器の指針が指し示す数値を読み取る計測値読取り部とを備えるようにした。
【００１１】
また本発明においては、アナログメータでなる状態表示器の指針が示す計測値の値を読み取る計測値読取り装置において、前記状態表示器の周囲に少なくとも２つのマーカが配置され、前記マーカ及び前記状態表示器を撮影するためのカメラ部と、前記カメラ部から出力される撮影信号に基づく撮影画像内の各前記マーカに基づいて、当該撮影画像内の前記状態表示器の画像を、３次元的な傾きを補正して当該状態表示器を真正面から撮影した画像に変換する画像変換部と、前記画像変換部により前記３次元的な傾きの補正が施された前記撮影画像内の前記状態表示器の画像に基づいて、当該状態表示器の指針が指し示す数値を読み取る計測値読取り部とを設けるようにした。
【００１２】
さらに本発明においては、アナログメータでなる状態表示器の指針が示す計測値の値を読み取る計測値読取り装置において実行される計測値読取り方法であって、前記状態表示器の周囲に少なくとも２つのマーカが配置され、前記マーカ及び前記状態表示器を撮影することにより得られた撮影信号に基づく撮影画像内の各前記マーカに基づいて、当該撮影画像内の前記状態表示器の画像を、３次元的な傾きを補正して当該状態表示器を真正面から撮影した画像に変換する第１のステップと、前記３次元的な傾きを補正した前記撮影画像内の前記状態表示器の画像に基づいて、当該状態表示器の指針が指し示す数値を読み取る第２のステップとを設けるようにした。
【００１３】
本計測値読取りシステム、計測値読取り装置及び計測値読取方法によれば、状態表示器ごとに本読取り装置を用意する必要がなく、また撮影方向に対する状態表示器の３次元的な傾きを補正した上で当該状態表示器の指針が指し示す数値を読み取るため、当該数値を精度良く読み取ることができる。
【発明の効果】
【００１４】
本発明によれば、状態表示器の指針が指し示す計測値を精度良く読み取り得る安価な計測値読取りシステム、計測値読取り装置及び計測値読取方法を実現できる。
【図面の簡単な説明】
【００１５】
【図１】本実施の形態による計測値読取り装置の簡略的なハードウェア構成を示すブロック図である。
【図２】状態表示器及びマーカの説明に供する正面図である。
【図３】本実施の形態による計測値読取り装置の論理構成を示すブロック図である。
【図４】第１のキャラクタの説明に供する略線図である。
【図５】（Ａ）及び（Ｂ）は、撮影画像の３次元的な傾きの説明に供する斜視図及び正面図である。
【図６】（Ａ）は第２及び第３のキャラクタの説明に供する正面図、（Ｂ）は変形例の説明に供する正面図である。
【図７】（Ａ）は正常範囲重畳部の説明に供するｘｙ座標であり、（Ｂ）は正常範囲管理テーブルを示す図表である。
【図８】合成画像の表示例を示す正面図である。
【図９】（Ａ）は計測値読取り部の説明に供するｘｙ座標であり、（Ｂ）は読取り基準管理テーブル示す図表である。
【図１０】（Ａ）及び（Ｂ）は、撮影位置算出部の説明に供する概念図及びｘｙ座標である。
【図１１】画像変換処理の処理手順を示すフローチャートである。
【図１２】画像変換処理の処理内容の説明に供する正面図である。
【図１３】画像変換処理の処理内容の説明に供する正面図である。
【発明を実施するための形態】
【００１６】
以下図面について、本発明の一実施の形態を詳述する。
【００１７】
（１）本実施の形態による計測値読取り装置の構成
図１において、１は全体として本実施の形態による計測値読取り装置を示す。この計測値読取り装置１は、作業員がプラント設備に設置された状態表示器の指針が指し示す計測値を読み取るために利用する機器であり、例えば、タブレット又はスマートフォンなどの撮影機能を有する可搬型のコンピュータ装置から構成される。
【００１８】
計測値読取り装置１は、ＣＰＵ（Central Processing Unit）２、メモリ３、カメラモジュール４、入力装置５及び表示装置６などのハードウェアを備える。ＣＰＵ２は、本計測値読取り装置１全体の動作制御を司るプロセッサである。またメモリ３は、例えば、不揮発性の半導体メモリから構成され、各種プログラムや各種データを保持するために利用される。メモリ３に格納されたプログラムをＣＰＵ２が実行することにより、後述のような計測値読取り装置１全体としての各種処理が実行される。
【００１９】
カメラモジュール４は、図示しないレンズと、ＣＣＤ（Charge Coupled Device）センサ又はＣＭＯＳ（Complementary Metal Oxide Semiconductor）センサ等の光学センサとが一体化されたモジュールであり、外部からレンズを介して光学センサの受光面に入力した被写体の投影像を電気信号に変換し、これを撮影信号として出力する。
【００２０】
入力装置５は、例えば、タッチパネルやボタンなどから構成され、利用者が各種操作を入力するために利用される。また表示装置６は、例えば、液晶パネルや、有機ＥＬ（Electro-Luminescence）パネルから構成され、カメラモジュール４から出力された撮影信号に基づく動画像又は静止画像や必要な情報を表示するために利用される。
【００２１】
（２）計測値読取り機能
次に、計測値読取り装置１に搭載された計測値読取り機能について説明する。なお、以下においては、対象とする状態表示器が指針回転式のアナログメータであり、その状態表示器を真正面から見た外形形状が円形であるものとする。
【００２２】
この計測値読取り機能は、プラント設備等に設置された状態表示器を作業員が本計測値読取り装置１により撮影することによって、その状態表示器の指針が指し示す計測値を画像処理によりディジタル値として取得し、このディジタル値を表示装置６に表示したり、当該ディジタル値をその状態表示器と対応付けてメモリ３に保存する機能である。なお、このとき作業員が撮影する画像は動画像及び静止画像のいずれであってもよいが、以下においては動画像として説明する。
【００２３】
ここで、状態表示器の指針が指し示す計測値を精度良く取得するためには、本計測値読取り装置１をその状態表示器の真正面に正対するように位置させた上で撮影を行う必要がある。
【００２４】
しかしながら、本計測値読取り装置１は作業員が手に持って撮影を行うように用いられる。このため作業員の癖や周囲の状況によっては、状態表示器をその真正面から正対する状態で撮影を行うことができず、本計測値読取り装置１の撮影方向（カメラモジュール４のレンズの中心軸方向）に対して状態表示器が３次元的に傾いた状態で撮影が行われることがある。このような場合、状態表示器の指針が指し示す正確な計測値を本計測値読取り装置１が取得できない。
【００２５】
そこで、本実施の形態の計測値読取り装置１には、作業員により撮影された状態表示器の撮影画像の３次元的な傾きを補正し、状態表示器を真正面から撮影したように撮影画像を補正する機能がかかる計測値読取り機能の一部として実装されている。
【００２６】
このような計測値読取り機能を実現するための手段として、本実施の形態の場合、図２に示すように、対象とする各状態表示器１０は、それぞれ正方形状の板（以下、これをテンプレートと呼ぶ）１１に所定状態に固定されている。
【００２７】
具体的には、状態表示器１０は種類ごとに大きさが規格により決まっているため、当該状態表示器１０の外寸と同じ大きさ及び同じ形状の図示しない開口部がテンプレート１１の中央に設けられ、この開口部に、テンプレート１１の上下左右方向及びその上下左右方向と、テンプレート１１の法線方向及びその法線方向とを高精度に一致させた状態で状態表示器１０が嵌め込まれて固定されている。
【００２８】
またテンプレート１１の左上端部及び右下端部には、それぞれそのテンプレート１１に固定された状態表示器１０の識別番号をＱＲコード（登録商標）化したＱＲコード（登録商標）がマーカ１２として配置されている。この場合、かかるマーカ１２の配置方法としては、テンプレート１１にそのマーカ１２を直接印刷する方法や、かかるマーカ１２が印刷されたシールを貼着する方法などを適用することができる。
【００２９】
そして、これらマーカ１２は、当該マーカ１２の一辺の長さと、状態表示器１０の直径との比が１：３となるようにその大きさが選定されている。ただし、マーカ１２の一辺の長さと、状態表示器１０の直径との比は１：３以外の比率であってもよい。この場合においても、マーカ１２の一辺の長さと、状態表示器１０の直径との比を整数比とすることにより、状態表示器１０に対するマーカ１２の大きさの計算を容易化することができる。
【００３０】
さらにテンプレート１１の左上端部のマーカ１２の下側や、右下端部のマーカ１２の上側には、そのマーカ１２が配置されたテンプレート１１に固定された状態表示器１０の識別番号（マーカ１２を構成するＱＲコード（登録商標）に記録された識別番号と同じ番号）１３が印刷又は当該識別番号１３が印刷されたシールを貼着するなどの方法により表示されている。これにより作業員等がこの識別番号１３に基づいて目視により状態表示器１０を識別することができるようになされている。
【００３１】
一方、図３は、本実施の形態による計測値読取り装置１の論理構成を示す。この図３に示すように、本計測値読取り装置１は、カメラモジュール４及び表示装置６に加えて、枠体重畳部２０、画像変換部２１、正常範囲重畳部２２、画像合成部２３、計測値読取り部２４及び撮影位置算出部２５を備える。
【００３２】
なお以下においては、これら枠体重畳部２０、画像変換部２１、正常範囲重畳部２２、画像合成部２３、計測値読取り部２４及び撮影位置算出部２５は、メモリ３（図１）に格納された対応するプログラム（図示せず）をＣＰＵ２が実行することにより具現化される機能部であるものとして説明するが、これら枠体重畳部２０、画像変換部２１、正常範囲重畳部２２、画像合成部２３、計測値読取り部２４及び撮影位置算出部２５がハードウェアとして構成されていてもよい。
【００３３】
枠体重畳部２０は、カメラモジュール４から出力された撮影信号に基づく撮影画像上に、図４に示すように、当該撮影画像において状態表示器１０の画像を表示させるべき位置（状態表示器１０の撮影位置）を表す状態表示器用枠体３１と、当該撮影画像において各マーカ１２をそれぞれ表示させるべき位置（各マーカ１２の撮影位置）をそれぞれ表す２つのマーカ用枠体３２とからなる第１のキャラクタ３０を表示させるための信号処理を行う機能を有する機能部である。
【００３４】
実際上、枠体重畳部２０は、カメラモジュール４から出力された撮影信号に対して、当該撮影信号に基づく撮影画像上に上述の第１のキャラクタ３０を重畳表示するためのキャラクタ信号を重畳し、かくして得られたかかるキャラクタ信号が重畳された撮影信号（以下、これを枠体重畳撮影信号と呼ぶ）を画像合成部２３に送信する。
【００３５】
なお、本計測値読取り装置１の場合、後述のように枠体重畳撮影信号に基づく撮影画像が表示装置６に表示される。これにより本計測値読取り装置１においては、作業者が、図４の右側に示すように、撮影画像内において、状態表示器用枠体３１内の領域（以下、これを状態表示器領域と呼ぶ）に状態表示器１０が位置し、かつ各マーカ用枠体３２内の領域（以下、これをマーカ領域と呼ぶ）に対応するマーカ１２がそれぞれ位置するように状態表示器１０を撮影することにより、状態表示器１０を常に一定の状態に撮影することができる。
【００３６】
また本計測値読取り装置１の場合、枠体重畳部２０は、初期時には第１のキャラクタ３０を赤色で表示させるが、上述のように状態表示器用枠体３１内の状態表示器領域に状態表示器１０が位置し、かつ各マーカ用枠体３２内のマーカ領域にそれぞれ対応するマーカ１２が位置するように撮影画像上で状態表示器１０の撮影位置が位置決めされた段階で、第１のキャラクタ３０の表示色を赤色から緑色に切り替える。これにより、状態表示器１０を撮影する作業員が第１のキャラクタ３０の表示色に基づいてその状態表示器１０の撮影状態が適切か否かを判別することができるようになされている。
【００３７】
画像変換部２１は、撮影画像における状態表示器１０及びマーカ１２の各画像が図５（Ａ）のように３次元的に傾いている場合に、撮影画像全体を、図５（Ｂ）のように状態表示器１０をその真正面から正対するように撮影した画像に変換する画像変換機能を有する。このような画像変換部２１の具体的な処理内容については後述する。そして画像変換部２１は、このようにして得られた画像変換処理後の撮影画像の画像データを変換撮影信号として正常範囲重畳部２２及び撮影位置算出部２５にそれぞれ出力する。
【００３８】
正常範囲重畳部２２は、画像変換部２１から与えられる変換撮影信号に基づく撮影画像内の状態表示器１０に対応させて、図６（Ａ）に示すような第２及び第３のキャラクタ３３，３４を表示するためのキャラクタ信号を生成する。
【００３９】
ここで、第２のキャラクタ３３は、その状態表示器１０に対応する計測対象（電流値、電圧値、圧力又は温度など）の計測値が正常なときの指針１０Ａの変動範囲を表す円弧状の形状を有し、その状態表示器１０の周囲に沿って対応する位置に対応する長さで表示される。また第３のキャラクタ３４は、撮影画像内の状態表示器１０の計測対象が異常状態のときの指針の変動範囲を示す半透明かつ当該状態表示器１０と同じ半径を有する扇状のもので、その状態表示器１０と重ね合わせて表示される。
【００４０】
このため正常範囲重畳部２２には、撮影対象となる状態表示器１０ごとに、図７（Ａ）に示すように、その状態表示器１０の計測値が正常である場合における指針１０Ａの変動範囲がｘｙ平面上のｘ軸（水平方向）の正方向を基準とした角度の範囲（θ１〜θ２）としてそれぞれ予め与えられる。そして正常範囲重畳部２２は、これら状態表示器１０ごとの角度範囲をメモリ３（図１）に格納された図７（Ｂ）に示す正常範囲管理テーブル２６に登録して管理している。
【００４１】
そして正常範囲重畳部２２は、変換撮影信号が与えられた場合に、その変換撮影信号に基づく撮影画像内のマーカ１２（ＱＲコード（登録商標））に記録されている識別番号を読み取り、読み取った識別番号に対して設定されている正常な角度範囲を正常範囲管理テーブル２６から読み出して、読み出した角度範囲に応じた第２及び第３のキャラクタ３３，３４を表示するための第２のキャラクタ信号を生成する。そして正常範囲重畳部２２は、生成した第２のキャラクタ信号を変換撮影信号に重畳し、第２のキャラクタ信号が重畳された変換撮影信号のうちの状態表示器１０の部分だけを切り取って、その画像データを正常範囲重畳変換撮影信号として画像合成部２３に送信する。
【００４２】
画像合成部２３は、枠体重畳部２０から与えられる枠体重畳撮影信号に基づく画像と、正常範囲重畳部２２から与えられる正常範囲重畳変換撮影信号に基づく画像とを合成した合成画像を生成する機能を有する機能部である。
【００４３】
実際上、画像合成部２３は、図８に示すように、枠体重畳撮影信号に基づき得られる第１の撮影画像（撮影画像上に第１のキャラクタ３０（図４）を重畳表示した画像）を画面左側に配置し、正常範囲重畳変換撮影信号に基づき得られる第２の撮影画像（状態表示器１０を真正面から正対するように撮影したように撮影画像）を画面右側に配置した合成画像４０を生成する。そして画像合成部２３は、このようにして生成した合成画像４０の画像データを表示装置６に送信する。これにより、この画像データに基づいて、かかる合成画像４０が表示装置６に表示される。
【００４４】
なお、画像合成部２３が正常範囲重畳変換撮影信号に基づく第２の撮影画像の画像データを一定の時間間隔（例えば、0.5秒間隔）で記憶しておき、図６（Ａ）のような状態表示器１０の画像に代えて、記憶した第２の撮影画像の各画像データに基づく状態表示器１０の画像をすべて重ね合わせた図６（Ｂ）に示すような状態表示器１０の画像を合成画像の右側に表示するようにしてもよい。このようにすることにより、状態表示器１０の指針１０Ａが激しく振れる場合であっても、その状態表示器１０の計測値が正常範囲内にあるか否かを容易に確認することができる。
【００４５】
一方、計測値読取り部２４は、画像変換部２１から与えられる変換撮影信号に基づく撮影画像内の状態表示器１０の指針１０Ａの位置に基づいて、当該状態表示器１０による計測対象の計測値の値を読み取ってディジタル値化する機能を有する機能部である。
【００４６】
このため計測値読取り部２４には、撮影対象となる状態表示器１０ごとに、図９（Ａ）に示すように、その状態表示器１０の計測値が「０」である場合における指針１０Ａのｘｙ平面上のｘ軸（水平方向）の正方向を基準とした角度θ３と、その角度（以下、これを基準角度と呼ぶ）θ３から指針１０Ａが反時計回り方向に１°回転した場合における計測対象の計測値の変動量（＋１°当りの変動量）とがそれぞれ予め与えられる。そして計測値読取り部２４は、これらの情報をメモリ３（図１）に格納された図９（Ｂ）に示す読取り基準管理テーブル２７に登録して管理している。
【００４７】
そして計測値読取り部２４は、変換撮影信号が与えられた場合に、その変換撮影信号に基づく撮影画像内のマーカ１２（ＱＲコード（登録商標））に記録されている識別番号を読み取り、読み取った識別番号に対して設定されている基準角度θ３と、指針１０Ａが反時計回り方向に１°回転した場合における計測対象の計測値の変動量とを読取り基準管理テーブル２７から読み出す。
【００４８】
また計測値読取り部２４は、読み出したこれらの情報に基づいて、その状態表示器１０の指針１０Ａがその基準角度から反時計回り方向に何度傾いているかを画像処理により算出し、算出結果に基づいて、その状態表示器１０による測定対象の測定値をディジタル値として取得する。そして計測値読取り部２４は、このようにして取得したディジタル値をその状態表示器１０の識別番号と対応付けてメモリ３（図１）に格納されている計測結果管理テーブル２８（図３）に格納する。
【００４９】
他方、撮影位置算出部２５は、そのとき撮影されている状態表示器１０に対するその撮影を行っている作業者の位置を推定する機能を有する機能部である。実際上、本実施の形態の場合、撮影位置算出部２５には、図１０（Ａ）に示すように、上述のように画像変換部２１が撮影画像を、状態表示器１０をその真正面から正対するように撮影した画像に変換する画像変換処理を実行した際に算出した、このとき作業者がその状態表示器１０を撮影した撮影方向の当該状態表示器１０の法線ｎ１からの傾き角θ４が撮影位置算出部２５に与えられる。また撮影位置算出部２５には、カメラモジュール４（図３）から出力された撮影信号も与えられる。
【００５０】
そして撮影位置算出部２５は、かかるカメラモジュール４からの撮影信号に基づく撮影画像に含まれる状態表示器１０の大きさに基づいて、図１０（Ｂ）に示すように、その撮影を行っている作業者のその状態表示器１０からの距離Ｌ１を算出すると共に、算出した距離と、画像変換部から与えられるかかる傾き角θ４とに基づいて、その状態表示器１０の表示面の中心を原点Ｏとするｘｙ平面上でのその作業者の撮影位置（図１０（Ｂ）の（ｘ１，ｙ１））を算出する。そして撮影位置算出部２５は、このようにして算出したその作業者の撮影位置をその状態表示器１０の識別番号と対応付けて計測結果管理テーブル２８（図３）に格納する。
【００５１】
（３）画像変換部の処理
図１１は、上述した画像変換部２１（図３）により実行される画像変換処理の流れを示す。この場合、画像変換部２１は、まず、作業員による状態表示器１０の撮影時、状態表示器用枠体３１（図４）内の状態表示器領域に状態表示器１０が位置し、かつ各マーカ用枠体３２（図４）内のマーカ領域にそれぞれ対応するマーカ１２が位置するように計測値読取り装置１の撮像方向が位置決めされた段階で、アフィン法や投影法などの既知の方法を利用して、２つのマーカ領域内にそれぞれ表示された各マーカ１２の撮影画像をこれらのマーカ１２を真正面から見た画像に変換する（Ｓ１）。
【００５２】
具体的に、画像変換部２１は、図１２に示すように、上述した２つのマーカ用枠体３２内にそれぞれ表示されている各マーカ１２について、その３隅にそれぞれ表示される切出しシンボル（ファインダパターン）１２Ａ〜１２Ｃを利用して、右上及び左上の各切出しシンボル１２Ａ，１２Ｂ間の長さＬ２と、左上及び左下の各切出しシンボル１２Ｂ，１２Ｃ間の長さＬ３とが同じ長さとなるように、かつ右上及び左上の各切出しシンボル１２Ａ，１２Ｂ間を結ぶ仮想的な線分Ｋ１と、左上及び左下の各切出しシンボル１２Ｂ，１２Ｃ間を結ぶ仮想的な線分Ｋ２とが成す角θ10が直角になるように撮像信号に基づく撮像画像を補正する。
【００５３】
これにより各マーカ用枠体３２内のマーカ領域にそれぞれ表示された各マーカ１２の撮影画像が、図１３（Ａ）に示すように、本計測値読取り装置１を用いた撮影方向Ｄ１（カメラモジュール４のレンズの中心軸方向）に対してその法線ｎ２の向きが３次元的に傾いた状態から図１３（Ｂ）に示すように、かかる法線ｎ２の向きがかかる撮影方向Ｄ１と平行となるよう補正された画像に変換される。
【００５４】
なお、画像変換部２１は、撮影画像上に重畳表示されるマーカ用枠体３２を認識することはできないが、状態表示器用枠体３１（図４）内の状態表示器領域に状態表示器１０の画像が位置し、かつ各マーカ用枠体３２（図４）内のマーカ領域にそれぞれ対応するマーカ１２の画像が位置するように計測値読取り装置１の撮像方向が位置決めされた場合に、撮影画面内のどの位置に上述の２つのマーカ用枠体３２がそれぞれ表示されるかは予め与えられて認識している。また画像変換部２１には、上述のように状態表示器用枠体３１及び２つのマーカ用枠体３２の表示色が赤色から緑色に切り替えられたタイミングでその旨のマーカ表示色切替え信号が枠体重畳部２０から与えられる（図３参照）。
【００５５】
かくして画像変換部２１は、かかるマーカ表示色切替え信号が与えられたタイミングで、撮影画像内の各マーカ用枠体３２がそれぞれ表示されているであろう各領域（各マーカ領域）の画像情報をそれぞれ取得し、取得した画像情報に基づいて各マーカ１２について３つの切出しシンボル１２Ａ〜１２Ｃをそれぞれ抽出し、抽出したマーカ１２ごとの３つの切出しシンボル１２Ａ〜１２Ｃに基づいて上述のような画像変換処理を実行する。
【００５６】
続いて、画像変換部２１は、上述にようにして変換した撮影映像内の各マーカ用枠体３２内にそれぞれ表示されているであろう各マーカ１２の記録内容をそれぞれ読み取り（Ｓ２）、これら２つのマーカ１２の内容が同一であるか否かを判定する（Ｓ３）。
【００５７】
そして、画像変換部２１は、この判定で否定結果を得た場合には、所定のエラーメッセージを生成するよう画像合成部２３（図３）に指示（以下、これをエラーメッセージ表示指示と呼ぶ）を与える（Ｓ４）。かくして、かかるエラーメッセージ表示指示が与えられた画像合成部２３は、図８について上述した合成画像４０上の所定位置にかかるエラーメッセージを表示する。そして画像変換部２１は、この後、この画像変換処理を終了する。
【００５８】
これに対して、画像変換部２１は、ステップＳ３の判断で肯定結果を得た場合には、撮像画像内に存在する２つのマーカ１２の表面と、状態表示器１０の表示面（指針１０Ａが回動する面）との配置関係に基づいて、状態表示器１０の画像が表示されている状態表示器用枠体３１内の領域（以下、これを状態表示器領域と呼ぶ）に表示された撮影画像の３次元復元処理を実行する（Ｓ５）。具体的に画像変換部２１は、図１３（Ｂ）に示すように、ステップＳ１で補正した２つのマーカ１２の表面の法線ｎ２と、状態表示器１０の表示面の法線ｎ１とが平行となるように状態表示器領域内の撮影画像を補正する（Ｓ５）。そして画像変換部２１は、この後、この画像変換処理を終了する。
【００５９】
（４）本実施の形態の効果
以上のように本計測値読取り装置１は、撮影画像に含まれる状態表示器１０の３次元的な傾きを補正した上で当該状態表示器１０の指針１０Ａが指し示す計測値を読み取る。従って、本計測値読取り装置１によれば、状態表示器１０の指針１０Ａが指し示す計測値を精度良く読み取ることができる。また本計測値読取り装置１は可搬型に構成されているため状態表示器１０ごとに本計測値読取り装置１を用意する必要がなく、その分、かかる計測値の読み取りを安価に行うことができる。
【００６０】
従って、本計測値読取り装置１によれば、状態表示器１０の指針１０Ａが指し示す計測値を精度良く、かつ安価に読み取り得る計測値読取り装置を実現できる。
【００６１】
（５）他の実施の形態
なお上述の実施の形態においては、状態表示器１０が固定されたテンプレート１１（図２）を正方形状に構成するようにした場合について述べたが、本発明はこれに限らず、テンプレート１１を長方形状に構成するようにしてもよい。
【００６２】
また上述の実施の形態においては、テンプレート１１に２つのマーカ１２を配置するようにした場合について述べたが、本発明はこれに限らず、３つ以上のマーカ１２をテンプレート１１に配置するようにしてもよい。
【００６３】
さらに上述の実施の形態においては、マーカ１２としてＱＲコード（登録商標）を適用するようにした場合について述べたが、本発明はこれに限らず、要は、ＱＲコード（登録商標）の切出しシンボルに相当する基準マークを少なくとも３つ以上有する形態のものであれば、かかるマーカ１２としてはこの他種々の形態のマーカを広く適用することができる。
【００６４】
さらに上述の実施の形態においては、対応する状態表示器１０の識別番号をマーカ１２に記録するようにした場合について述べたが、本発明はこれに限らず、かかる状態表示器１０の識別番号に代えて又は加えて、他の情報をマーカ１２に記録するようにしてもよい。
【００６５】
さらに上述の実施の形態においては、第１のキャラクタ３０（図４）を、初期時には赤色で表示する一方、撮影画像内における状態表示器１０の撮影位置が所定状態に位置決めされた段階で表示色を赤色から緑色に切り替えるようにした場合について述べたが、本発明はこれに限らず、第１のキャラクタ３０の表示色や表示形態としては、これ以外の表示色及び表示形態を広く適用することができる。
【産業上の利用可能性】
【００６６】
本発明は、指針回転式のアナログメータでなる状態表示器の計測値を読み取る計測値読取り装置に適用することができる。
【符号の説明】
【００６７】
１……計測値読取り装置、２……ＣＰＵ、３……メモリ、４……カメラモジュール、６……表示装置、１０……状態表示器、１０Ａ……指針、１１……テンプレート、１２……マーカ、１３……識別番号、２０……枠体重畳部、２１……画像変換部、２２……正常範囲重畳部、２３……画像合成部、２４……計測値読取り部、２５……撮影位置算出部、３０……第１のキャラクタ、３１……状態表示器用枠体、３２……マーカ用枠体、３３……第２のキャラクタ、３４……第３のキャラクタ、４０……合成画像。
【図１】
2019087156.tif 000003
【図２】
2019087156.tif 000004
【図３】
2019087156.tif 000005
【図４】
2019087156.tif 000006
【図５】
2019087156.tif 000007
【図６】
2019087156.tif 000008
【図７】
2019087156.tif 000009
【図８】
2019087156.tif 000010
【図９】
2019087156.tif 000011
【図１０】
2019087156.tif 000012
【図１１】
2019087156.tif 000013
【図１２】
2019087156.tif 000014
【図１３】
2019087156.tif 000015